Podtech/llm-jp-corpus-v4-ja_patent huggingface dataset:
(57)【要約】【課題】  本発明はペットボトル容器をリサイクルとして収集に出すときに、ペットボトル容器に貼られているラベルを視力が弱くても、小さな力でも簡単に剥がせるように工夫した剥がしやすいペットボトル容器のラベルを提供する。【解決手段】  ペットボトル容器（３）に貼られるラベル（１）の上辺に凹凸部（２）を設けた剥がしやすいペットボトル容器のラベル。【選択図】図１
2017149479.tif 000002
【特許請求の範囲】
【請求項１】
ペットボトル容器（３）のラベル（１）の上辺に凹凸部（２）を設けた剥がしやすいペットボトル容器のラベル。
【発明の詳細な説明】
【技術分野】
【０００１】  本発明はペットボトル容器のラベルを剥がしやすい形状にして、リサイクルを容易に行えるようにした剥がしやすいペットボトル容器のラベルに関するものである。
【背景技術】
【０００２】  従来のペットボトル容器のラベルにも、剥がす方法はいろいろあった。
たとえば、上部の一ヵ所に剥がすためのミシン線が入れられていたものや、剥がすところを明記したものがあった。
【先行技術文献】
【特許文献】
【０００３】
【特許文献１】  特開２００４−２５６１６９号公報
【特許文献２】  特開２００６−１３１３０１号公報
【発明の概要】
【発明が解決しようとする課題】
【０００４】  従来のペットボトル容器のラベルにも剥がす方法は、いろいろ考えられていた。
上部の一ヵ所から剥がすための縦線のミシン線が入れられていたものや、また、剥がすところを明記したものはあった。
しかし、視力や指先の力が弱くなった高齢者や弱者には、その方法やその部分を見つけることが困難であった。
本発明は、以上のような欠点をなくすために、考えられたものである。
【課題を解決するための手段】
【０００５】  そこで、誰でも簡単に剥がせるペットボトル容器本体（３）のラベル（１）を取り除く方法を発明した。
ラベル（１）の上辺に凹凸部（２）を設ける。
以上のように構成された剥がしやすいペットボトル容器のラベル。
【発明の効果】
【０００６】  目がかすんできたり指先の神経が鈍くなってきた高齢者や弱者でも簡単にラベルを取り除くことができ、ペットボトル容器のリサイクルに協力することができる。
【図面の簡単な説明】
【０００７】
【図１】  本発明の実施状態を示すペットボトルとラベルの斜視図である。
【図２】  本発明のラベルの平面図である。
【発明を実施するための形態】
【０００８】  以下、本発明を実施するための形態について説明する。
ペットボトル容器本体（３）に貼る商品説明のラベル（１）の上辺に凹凸部（２）を設ける。
本発明は以上のような形態の剥がしやすいペットボトル容器のラベルである。
本発明の使い方を説明する。
ペットボトル容器本体（３）の中身の使用後、ペットボトル容器本体（３）は、リサイクルされるが収集されるとき、ペットボトル容器本体（３）に貼られているラベルは剥がして出すことが望まれている。
しかし、従来のラベル（１）はペットボトル容器本体（３）に張り付いていて、なかなか剥がれない。
それをラベル（１）の上辺に凹凸部（２）を付けて、凸部を下方に引くことによって非常に簡単に剥がすことができるようにした。
図１の山型のラベル上辺の一部を手前に引くことによって、ラベルは簡単に剥がすことができる。
このラベル上辺の凹凸部（２）を山の形や、波型、花型とデザイン化すると美しくすることもできる。
【符号の説明】
【０００９】  １  ラベル
２  ラベル上辺の凹凸部
３  ペットボトル容器本体
【図１】
2017149479.tif 000003
【図２】
2017149479.tif 000004
(57)【要約】      （修正有）【課題】現行のパターの打球面は長方形で前後に長いが、左右に長く、狙った方向にソウルし易く、ヘッドも打ち出し方向に真っ直ぐストロークすることが容易であるパターを提供する。【解決手段】発明のパターヘッドは断面が円形でアドレスしたときシャフトの角度（ライ角）が自分の思うままにアドレスでき、傾斜グリーンに於いてもボールの中心にセットしやすい。アドレスしたときパターヘッドが左右に長い為、打ち出し方向に正しくセット出来、真っ直ぐストロークし易い。引っ掛け押し出し、ショートがなくなり、ボールの中心にパターヘッドの中心でヒットしやすいのでボールの転がりが良くなる。【選択図】図−１
2017131635.tif 000002
【特許請求の範囲】
【請求項１】
ゴルフクラブパターヘッドの打球面を円形にしたものである。アドレスした状態でシャフトと地面のライ角が人によって異なってもヘッドとボールの位置は変わらなく、ボールの中心とパターヘッドの中心がピタリと合わせることが容易である。
【請求項２】
これまでのパターの形状の常識を外れた左右に長い形状である。
ゴルフボール（直径４．３ｃｍ）にパターをソールしたとき、パターの打球面の直径はボール径より少し小さくし、パターヘッドを少し浮かせた状態でボールの中心点とパターの中心点でヒットする事になる。又ソールした時打ち出し方向を線で容易に合せることが出来るのが特長である。
【請求項３】
シャフト位置を中心に左右対象となっているので、打球面が左右にあり、打球面にそれぞれ２種の異なる反発材質板をセットし、速い遅いグリーンでの又上り下りのラインでの使いわけができるのが特長である。
【発明の詳細な説明】
【技術分野】
【０００１】この発明はゴルフクラブパターヘッドに関するもの。
パターの打球面が円形である為、アドレスしボールにソウルしたときボールの中心点とパターの中心点が合わせ易い。【０００２】パッティングでアドレスしたとき、シャフトの角度は各人で違うわけだが、現行のパターはヘッドのライ角に合わせてアドレスしなければならないが、この発明パターは誰もが思うままの角度に正しい位置にソールすることが出来る。【０００３】現行のパターの打球面は長方形で前後に長いが、この発明パターは左右に長いので狙った方向にソウルし易く、ヘッドも打ち出し方向に真っ直ぐストロークすることが容易である。【０００４】パターヘッドの重量を変えたものを製作するため、ヘッド形状を円柱形パターの２種とする。円柱形パターもシャフトを中心に左右対象である。
【発明の開示】
【発明が解決しようとする課題】
【０００５】現行パーターでは芯でヒットすることがプロでもむつかしい。現行パターでは打球面が前後に長方形のため、ヘッドの前後の位置、角度、高さを合わせヒットするのがむつかしい。パターの構造上プロでもほとんどパターの芯でヒットしていない。パターの上っ面でヒットしているがほとんど気がついていない。打ち出し方向にヒットするが引っ掛け、押し出しが出やすく又ボールの転がりが悪い。
【発明の効果】
【０００６】この発明パターは打球面が円形の為ボールの中心にアドレスしやすく、ボールの中心をパターヘッドの中芯でヒットし易い。更に左右に長いので打ち出し方向に真っ直ぐストロークしやすい。引っ掛けや押し出しがなくなり、ボールのころがりが良くなりショートもへる。傾斜のあるグリーにおいても、ボール芯と打球面芯がピッタリと合わせることが容易であり芯で容易にヒットできるようになる。真っ直ぐ目標方向にヘッドをストロークし易いので、方向性が向上する。反発の異なる打球面が左右２つあるので下りのラインと上りのライン等で使いわけが可能である。
【図面の簡単な説明】
【図−１】≪円形断面パター（Ａ）≫  このパターは中央の球にシャフトを取付その左右に半球を形成し円形の打球面を有したパターヘッドである。
【図−２】≪円形断面パター（Ｂ）≫  このパターは円柱の中央にシャフトを取付、左右に円形の打球面を有するパターヘッドである。
2017131635.tif 000003
【手続補正書】
【提出日】平成29年2月8日(2017.2.8)
【手続補正１】
【補正対象書類名】図面
【補正対象項目名】全図
【補正方法】変更
【補正の内容】
【図−１】
2017131635.tif 000004
【図−２】
2017131635.tif 000005
【手続補正書】
【提出日】平成29年4月25日(2017.4.25)
【手続補正１】
【補正対象書類名】特許請求の範囲
【補正対象項目名】請求項２
【補正方法】変更
【補正の内容】
【請求項２】
これまでのパターの形状の常識を外れた左右に長い形状であり、ゴルフボールにパターをソールした時、目標方向に線でピタリと合わせやすく、ストロークも目標方向に線で出しやすい。
【手続補正２】
【補正対象書類名】明細書
【補正対象項目名】０００６
【補正方法】変更
【補正の内容】
【０００６】この発明パターは打球面が円形の為ボールの中心にアドレスしやすく、ボールの中心をパターヘッドの中芯でヒットし易い。更に左右に長いので打ち出し方向に真っ直ぐストロークしやすい。引っ掛けや押し出しがなくなり、ボールのころがりが良くなりショートもへる。傾斜のあるグリーにおいても、ボール芯と打球面芯がピッタリと合わせることが容易であり芯で容易にヒットできるようになる。真っ直ぐ目標方向にヘッドをストロークし易いので、方向性が向上する。反発の異なる打球面が左右２つあるので下りのラインと上りのライン等で使いわけが可能である。
［図面の簡単な説明］【図−１】  ≪円形打球面パター（Ａ）≫  このパターは中央の球にシャフトを取付その左右に半球を形成し円形の打球面を有したパターヘッドである。打球面が円形が基本であるが、形状についてはいろいろなものが考えられ、見た目も楽しくなるパターである。
【図−２】  ≪円形打球面パター（Ｂ）≫  このパターは円柱の中央にシャフトを取付、左右に円形の打球面を有するパターヘッドである。
【手続補正３】
【補正対象書類名】図面
【補正対象項目名】全図
【補正方法】変更
【補正の内容】
【図−１】
2017131635.tif 000006
【図−２】
2017131635.tif 000007
(57)【要約】【課題】貨幣を入れた時の財布の膨らみを防止し、硬貨やカード類を取り出しし易くした財布を提供する。【解決手段】財布は、同側にあるカード類収納部位と貨幣収納部位において、カード類収納部の取り出し口と貨幣収納部の取り出し口が互いに逆方向にあり、貨幣部収納の深さをカード収納部全体の高さの半分以下の構成とする。【選択図】図２
2017131606.tif 000002
【特許請求の範囲】
【請求項１】
財布の同側にあるカード類収納部位と貨幣収納部位において、該カード類収納部の取り出し口と該貨幣収納部の取り出し口が、互いに逆方向にあることを特徴とする財布。
【請求項２】
貨幣部収納部の深さが、カード収納部全体の長さの半分以下とすることを特徴とする請求項１記載の財布。
【請求項３】
前記貨幣収納部の深さが、３ｃｍ〜６ｃｍとなることを特徴とする請求項１記載の財布。
【発明の詳細な説明】
【発明の詳細な説明】
【技術分野】
【０００１】  本発明は、財布に関し、特に、財布の厚みを薄くし、更に、型崩れの防止とスムーズに硬貨、及びカード類が取り出せる財布に関する。
【背景技術】
【０００２】  従来からキャッシュカードやクレジットカード等のカード類を収納するカード類収納部と、紙幣や硬貨を収納する貨幣類収納部とを備えた財布がある。該財布は、硬貨の収納部とカード類の収納部が同じ側で、更に同じ面積で接触して存在している。
【発明の概要】
【発明が解決しようとする課題】
【０００３】  しかしながら、カード類収納部と同じ側にある貨幣収納部位に貨幣が多く入ると、貨幣の厚みとカード類の厚みの重なりで、財布が非常に厚く膨らむこととなる。本発明は、カード収納部と貨幣の収納部とが、同じ側にあっても、財布の厚みを軽減し、財布本体の型崩れを防止し、スムーズに硬貨、及びカード類などを取り出し易くした財布を提供することを目的とする。
【課題を解決するための手段】
【０００４】  上記目的を達成するため、本発明の財布は、同側にあるカード類収納部位と貨幣収納部位において、該カード類収納部の取り出し口と該貨幣収納部の取り出し口が互いに逆方向にあることを特徴とする。【０００５】  また、該貨幣部収納部の深さが、該カード収納部全体の長さの半分以下とすることを特徴とする。【０００６】  また、上記の貨幣部収納部の深さが、具体的には、３ｃｍ〜６ｃｍとなることを特徴とする。
【発明の効果】
【０００７】  本発明によれば、カード類の重なりの下にできた空間に、貨幣を収納することができ、財布の厚みを抑えられることができる。【０００８】  また、貨幣部収納部が浅くできているので、貨幣が取り出しやすく、カード類が平行に並んでいるので、カード類も取り出しやすい。
【図面の簡単な説明】
【図１】本発明の実施の形態に係る財布の構成を示す斜視図。
【図２】本発明の実施の形態に係る財布の構成を示す部位の断面図。
【発明を実施するための形態】
【０００９】  以下、添付図面を参照しながら、本発明の実施の形態に係る財布について詳細に説明するが、本発明は、これらに限定されるものではない。
図１は、カード類収納部と硬貨収納部が同側にある本発明の形態の一つで、カード類収納部の取り出し口と貨幣収納部の取り出し口が、互いに反対側にある。
【００１０】  図２は、財布におけるカード類収納部と硬貨収納部の発明部位の断面図である。カード２０が、階段状に設置されていることによって生じる空間に、貨幣収納部２２を設置し、財布の厚みを軽減した。
【００１１】  また、貨幣収納部の深さＢは、Ａの半分以下である。具体的には、３ｃｍ〜６ｃｍの深さである。
【符号の説明】
【００１２】  １０    カード
１１    ファスナー
２０    カード
２１    硬貨
２２    硬貨収納部
２３    ファスナー
【図１】
2017131606.tif 000003
【図２】
2017131606.tif 000004
(57)【要約】      （修正有）【課題】洋便器に座して男性が小便をする時、小便が便器と便座のクッションとで出来る隙間を通り、便器の外にこぼれるのを防ぐそで付便座を提供する。【解決手段】洋便器３の便座１の前裏側に洋便器３の形状曲線と同一の曲線を有し、かつ洋便器３に接触しないでそで２を設け、かつ、そで２は小便が洋便器３と便座１のクッション４との隙間から洋便器３の外に漏れないように設けた。【選択図】図１
2017131604.tif 000002
【特許請求の範囲】
【請求項１】
洋便器（３）の便座（１）の前裏側に便器の形状曲線と同一の曲線を有し、かつ便器に接触しないでそで（２）設けかつ、そでは小便が便器と便座のクッションの隙間から便器の外に漏れないように設けたそで付便座。
【発明の詳細な説明】
【技術分野】
【０００１】  この発明は、洋式便器の便座の隙間から小便が便器の外に出ないそで付き便座に関するものである。
【背景技術】
【０００２】  従来の便座は便器との間にクッションがあり１ｃｍ位空間となっている。今日、洋便器を男性が座って使用するようになり、便器の外にその隙間を抜けて小便がこぼれることが多くなった。これを防止する為の技術である。
【先行技術文献】
【特許文献】
【０００３】
【特許文献１】
【発明の概要】
【発明が解決しようとする課題】
【０００４】  洋便器に男性が座し、小便をするようになり、現在の洋便器と便座との間には、便座に衝撃を緩和するクッションがある為に、１ｃｍ位の隙間があるが、その間から小便が外にもれる事が多くあり、便所の床を汚している。これは次の様な欠点となっている。
（イ）座して小便をする男性の小便が便器の外に出る欠点があった。
本発明は以上のような欠点を無くす為になされたものである。
【課題を解決する為の手段】
【０００５】  便器と便座との隙間から小便が外にもれないように便座にそでを付けることにより、小便がそでに当たり便器の中に入り、外に漏れなくすることにある。そでは便器の内側の曲線に合致した曲線を有しかつ、便器と便座の隙間をカバーするように内側に来る。
本発明は以上の構成よりなるそで付便座である。
【発明の効果】
【０００６】  小便器の取付がなくなってきている現在、洋便器に立って行うと小便の飛散による汚れに対し、男性が洋便器に座して小便をするようになった。しかし便器と便座との間から小便が漏れることがある。この発明により便器の外に小便が漏れるのを防ぐことが出来、便所の清潔が保てる。
【図面の簡単な説明】
【０００７】
【図１】  本発明の断面図である。
【図２】  本発明の便座裏図である。
【発明を実施するための形態】
【０００８】  以下、本発明を実施するための形態につい説明する。
男性が座して小便をすると、便器と便座との隙間から外に漏れる事がある。便座の前方にそでを付けることにより、小便が外に出ないで、便器の中に小便が落ちる。便座のそでに小便が当たった時、小便が便器の中に落ちるようにそでを付ける。
本発明は、以上の様な構造である。
これを使用する時は座して小便をする人達の安心に繋がる。
【符号の説明】
【０００９】  １    便座
２    そで
３    洋便器
４    クッション
【図１】
2017131604.tif 000003
【図２】
2017131604.tif 000004
(57)【要約】      （修正有）【課題】便秘に苦しむ人の便通を促進し、切れ痔対策となる便通促進用潤滑剤を吸収させた付着棒と便通促進用潤滑剤入りの容器セットを提供する。【解決手段】肛門の周囲（含む肛門の入り口奥）に便通促進用潤滑剤を塗るための便通促進用潤滑剤吸収用の付着棒６と便通促進用潤滑剤入りの容器セットの発明である。また、この便通促進用潤滑剤を吸収させた付着棒を包装用ビニール５で包装して携帯できる。【選択図】図３
2017131607.tif 000002
【特許請求の範囲】
【請求項１】
便秘に苦しむ人の便意を促進ために肛門の周囲（含む肛門の入り口奥）に便通促進用潤滑剤を塗るための便通促進用潤滑剤吸収用の付着棒と便通促進用潤滑剤入りの容器セット。
【請求項２】
便通促進用潤滑剤を吸収させた付着棒を包装用ビニールで包装して携帯できるようにしたもの。
【発明の詳細な説明】
【技術分野】
【０００１】    この発明は、便秘に苦しむ人の便意を促進するための便通促進用潤滑剤吸収用の付着棒と便通促進用潤滑剤入りの容器セット及び、便通促進用潤滑剤を吸収させた付着棒を包装用ビニールで包装したものに関するものである。
【背景技術】
【０００２】    従来、便秘が続いても無理に力んで用便するしかなく、肛門が切れて『切れ痔』になっていた。
【先行技術文献】
【特許文献】
【０００３】
【特許文献１】  特開２０１１−１７２６１９  公報
【特許文献２】  実用新案登録第３１４２３３４号  公報
【０００４】
【非特許文献】
【非特許文献】  平成２８年１月２９日付  同日特許出願中（便通促進用潤滑剤吸収用の付着棒等）
【発明の概要】
【発明が解決しようとする課題】
【０００５】    従来、便秘が続くと便が硬くなり、便通を催してもなかなか出ず苦しむことが多く、無理に力んで用便すると肛門が切れて『切れ痔』になっていた。
本発明は、以上のような欠点を解消するものである。
【発明を解決するための手段】
【０００６】    便通促進用潤滑剤吸収用の付着棒（１）に便通促進用潤滑剤を入れた容器（３）の中の便通促進用潤滑剤（４）を吸収させ、肛門の周囲に塗ってから（含む肛門の入り口奥）用便すると頑固な便秘もスムーズに通便できる。
【発明の効果】
【０００７】    本発明は、便秘に苦しむ人の便通を促進するためのものである。また、便通促進用潤滑剤（４）に、切れ痔に良い薬品等を混ぜて置くと切れ痔対策にもなる。
【０００８】    なお、便通促進用潤滑剤を吸収した付着棒（６）を包装用ビニールで包装したもの（図３）を常時携帯して置くと安心して旅行等の長時間外出もできる。
【０００９】    また、この便通促進対策は、個人個人で簡単で容易に措置できるので、便秘が続き、便が硬くならないよう、早め早めに対処することができる。
【図面の簡単な説明】
【００１０】
【図１】便通促進用潤滑剤吸収用の付着棒の斜視図
【図２】便通促進用潤滑剤入りの容器の斜視図
【図３】便通促進用潤滑剤を吸収させた付着棒を包装用ビニールで包装したものの斜視図
【発明を実施するための形態】
【００１１】    便通促進用潤滑剤吸収用の付着棒（１）に、潤滑剤を入れた容器（３）の中の便通促進用潤滑剤（４）を付着させて使用する。
【００１２】    なお、便通促進用潤滑剤を吸収用の付着棒（１）の先端部分に便通促進用潤滑剤（４）を吸収させた付着棒を包装用ビニールで包装したものを携帯する。
【符号の説明】
【００１３】１  便通促進用潤滑剤吸収用の付着棒（５ｃｍ以上）
２  潤滑剤を吸収しやすい綿又は、ガーゼ等の吸収材料部分
３  便通促進用潤滑剤入りの容器
４  便通促進用潤滑剤
５  包装用ビニール
６  便通促進用潤滑剤を吸収させた付着棒
７  便通促進用潤滑剤を吸収した付着部分
【図１】
2017131607.tif 000003
【図２】
2017131607.tif 000004
【図３】
2017131607.tif 000005
(57)【要約】      （修正有）【課題】印象の精度を向上する為に、印象材料を被印象体に薄く塗布し硬化させることを利用した印象方法を提供する。【解決手段】印象材料１を被印象体２に薄く塗布し一度硬化させる。その後に硬化した印象材料を利用して印象する。硬化時の収縮率が１０パーセントの印象材料の場合、印象材料の厚みが１００の時に変形量は１０であるが、印象材料の厚みが１の場合の変形量は０．１になり変形量は低くなる。印象材料を一度硬化させ寸法変化させてしまう事で、再度利用しても硬化にともなう寸法変化は起こらない為、印象材料の変形量が減った分、印象の精度が向上する。【選択図】図１
2017131611.tif 000002
【特許請求の範囲】
【請求項１】
印象材料（１）を被印象体（２）に薄く塗布し一度硬化させ、硬化した印象材料（１）を利用して印象をする印象方法。
【発明の詳細な説明】
【技術分野】
【０００１】この発明は、印象材料を被印象体に薄く塗布し、一度硬化させる事を利用して印象をする印象方法に関するものである。
【背景技術】
【０００２】（イ）複数または一つの材料からなる厚みのある印象材料（１）を使用する。
（ロ）被印象体（２）と印象補助具の間に隙間を作り、その隙間に印象材料（１）を入れ    る。
従来、印象方法は以上の手法によるものだった。
【発明の概要】
【発明が解決しようとする課題】
【０００３】これは、次のような欠点があった。
従来、印象材料は硬化時に寸法変化をともない、寸法変化率が一定であっても、厚みが増すほど変化量自体は増える。被印象体との間に隙間を作り、後からその隙間に印象材料を入れる場合において、隙間は後から印象材料を入れる事に支障の無い程度の隙間が必要になり、結果として隙間に入れられた印象材料はある程度の厚みを持つことになる。厚みのある印象材料を使用する事で印象の精度が低下していた。後から印象材料を入れる事に支障の無い程度の隙間を確保する事も複雑な手法を必要としていた。価格単価の高い印象材料のみを使用した場合、厚みが増すほど材料費用が高額になっていた。
本発明は、以上のような欠点をなくすためになされたものである。
【課題を解決するための手段】
【０００４】印象材料（１）を被印象体（２）に薄く塗布し一度硬化させる。
その後に硬化した印象材料（１）を利用して印象する。
本発明は、以上の手法よりなる印象方法である。
【発明の効果】
【０００５】硬化時の収縮率が１０パーセントの印象材料の場合、印象材料の厚みが１００の時に変形量は１０であるが、印象材料の厚みが１の場合の変形量は０．１になり変形量は低くなる。印象材料を一度硬化させ寸法変化させてしまう事で、再度利用しても硬化にともなう寸法変化は起こらない為、印象材料の変形量が減った分、印象の精度が向上する。硬化した印象材料とその後に使用する印象材料は同じ印象材料である必要が無い為、複数の価格帯の印象材料を組み合わせて使用する事ができ、全体の費用を低くすることができる。
【図面の簡単な説明】
【０００６】
【図１】本発明の断面図である
【図２】従来法の断面図である
【発明を実施するための形態】
【０００７】以下、本発明を実施するための手法について説明する。
印象材料（１）を被印象体（２）に薄く塗布し一度硬化させる。
その後に硬化した印象材料（１）を利用して印象する。
本発明は、以上のような手法である。
【符号の説明】
【０００８】１  印象材料
２  被印象体
【図１】
2017131611.tif 000003
【図２】
2017131611.tif 000004
(57)【要約】      （修正有）【課題】不老遺伝子Ｋｌｏｔｈｏとともに働く糖類の前駆体を含有する不老長寿食品の提供。【解決手段】前記２糖類がグルコサミン、ヒアルロン酸、コンドロイチンから作られて健康，不老長寿に貢献する事より、グルコサミン、ヒアルロン酸、コンドロイチン１つ以上を少なくもを含む食品の接取が必須であり、グルコサミン、ヒアルロン酸、コンドロイチンの少なくとも１つ以上を食品と混合する不老長寿食品。【選択図】なし【特許請求の範囲】
１．グルコサミン、ヒアルロン酸、コンドロイチンの少なくとも１つ以上を含む食品
２．グルコサミン、ヒアルロン酸、コンドロイチンの少なくとも１つ以上を食品と混合する事を特徴とする食品の製造法
【発明の詳細な説明】
【発明の詳細な説明】
本発明はグルコサミン、ヒアルロン酸、コンドロイチンを含有する不老長寿食品及びその製造法に関する。
鍋島らは不老遺伝子（ａｎｔｉ‐ａｇｉｎｇ  ｇｅｎｅ）Ｋｌｏｔｈｏを見出した。この遺伝子をもつラットは３０％長生きする。Ｋｌｏｔｈｏは体液のカルシウムのｈｏｍｅｏｓｔａｓｉｓ（動的平衡，生体の内的環境または体液的素質が交感副腎系を中心として生物学的正常平衡を保つこと）により健康を保つしたがって不老長寿をたもつ作用がある
本発明者は  Ｋｌｏｔｈｏが単独でなく、ある種の２糖類と共同で働いてその効果を発揮していることおよびこの２糖類の構造を決めて有機合成し、その構造を特定した。
Ｏｚａｋｉ  Ｓｈｏｉｃｈｉｒｏ．Ｓｕｌｆｏ  ｄｉｓａｃｃｈａｒｉｄｅｓ  ｃｏ‐ｗｏｒｋｉｎｇ  ｗｉｔｈ  Ｋｌｏｔｈｏ．Ｓｔｕｄｉｅｓ  ｏｎ  ｓｔｒｕｃｔｕｒｅ，ｓｔｒｕｃｔｕｒｅ  ａｃｔｉｖｉｔｙ  ｒｅｌａｔｉｏｎ  ａｎｄ  ｆｕｎｃｔｉｏｎ  Ｗｏｒｌｄ  Ｊ  ｏｆ  Ｐｈａｒｍａｃｙ  ａｎｄ  Ｐｈａｒｍａｃｅｕｔｉｃａｌ  Ｓｃｉｅｎｃｅｓ（２０１５）４  １５２‐１７５
Ｏｚａｋｉ  Ｓｈｏｉｃｈｉｒｏ．Ｇｌｕｃｏｓａｍｉｎｅ  Ｄｅｒｉｖａｔｉｖｅｓ．Ｓｕｌｆｏ  ｄｉｓａｃｃｈａｒｉｄｅｓ  ｃｏ‐ｗｏｒｋｉｎｇ  ｗｉｔｈ  Ｋｌｏｔｈｏ．Ｎｕｔｒｉｔｉｏｎ  ａｎｄ  Ｆｏｏｄ  Ｓｃｉｅｎｃｅ（２０１５）５．４１６
ｈｔｔｐ：／／ｄｘ．ｄｏｉ．ｏｒｇ／１０．４１７２／２１５５‐９６００．１０００４１６
この報文で２糖類はＳｕｌｆｏ‐Ｇｌｕｃｕｒｏｎｏｓｙｌ（１‐３）‐Ｇｌｕｏｃｏｓｉｄｅ  とＳｕｌｆｏ‐Ｇｌｕｃｕｒｏｎｏｓｙｌ（１‐３）‐Ｇａｌａｃｔｏｓｉｄｅ  でありＫｌｏｔｈｏとともに働いてカルシウムの動的平衡をたもつことにより健康を維持し、したがって不老長寿を達成していることを示した。
ヒアルロン酸はｐｏｌｙ（ｇｌｕｃｕｒｏｎｏｓｙｌ（１‐３）ｇｌｕｃｏｓｉｄｅ）である。コンドロイチンはｐｏｌｙ（ｇｌｕｃｕｒｏｎｏｓｙｌ（１‐３）ｇａｌａｃｔｏｓｉｄｅ）である。
グルコサミン、ヒアルロン酸、コンドロイチンの構造と２糖類の構造を比較検討した結果、グルコサミン、ヒアルロン酸、コンドロイチンがこの２糖の前駆体であることがわかった。グルコサミン、ヒアルロン酸、コンドロイチンを食べると２糖類、不老試薬ができる。  したがって発明者はグルコサミン、ヒアルロン酸、コンドロイチンを含む食品が  健康、不老，長寿に役立っている事を見いだして本発明に到達した。
グルコサミン、ヒアルロン酸、コンドロイチンの少なくとも１つ以上を
食品と混合することにより本発明の不老長寿食品が製造できる。
食品には、茶，ジュース，調味料、みそ、しょうゆ、日本酒、ワイン、ウィスキー、あぶら、うどん、そば、などがある。
次に実施例により本発明の詳細を示す
実施例１．みかんをしぼってえたジュース１００ｍｌにグルコサミン１００ｍｇを加えて撹拌して不老長寿オレンジジュース１００ｍｌを得た。
実施例２．みかんをしぼってえたジュース１００ｍｌにヒアルロン酸３０ｍｇを加えて撹拌して不老長寿オレンジジュース１００ｍｌを得た。
実施例３．みかんをしぼってえたジュース１００ｍｌにコンドロイチン１０ｍｇを加えて撹拌して不老長寿オレンジジュース１００ｍｌを得た。
実施例４．みかんをしぼってえたジュース１００ｍｌにグルコサミン１００ｍｇヒアルロン酸３０ｍｇ、を加えて撹拌して不老長寿オレンジジュース１００ｍｌを得た。
実施例５．みかんをしぼってえたジュース１００ｍｌにグルコサミン１００ｍｇヒアルロン酸３０ｍｇ、コンドロイチン１０ｍｇを加えて撹拌して不老長寿オレンジジュース１００ｍｌを得た。
実施例６．りんごをしぼってえたジュース１００ｍｌにグルコサミン１００ｍｇ、コンドロイチン１０ｍｇを加えて撹拌して不老長寿りんごジュース１００ｍｌを得た。
実施例７．りんごをしぼってえたジュース１００ｍｌにグルコサミン１００ｍｇ、ヒアルロン酸３０ｍｇ、コンドロイチン１０ｍｇを加えて撹拌して不老長寿りんごジュース１００ｍｌを得た。
実施例８．とまとからえたジュース１００ｍｌにグルコサミン１００ｍｇ、ヒアルロン酸３０ｍｇ、コンドロイチン１０ｍｇを加えて撹拌して不老長寿とまとジュース１００ｍｌを得た。
実施例９．お茶の葉５ｇからえたお茶１００ｍｌにグルコサミン１００ｍｇ、ヒアルロン酸２０ｍｇ、コンドロイチン１０ｍｇを加えて撹拌して不老長寿茶１００ｍｌを得た。
実施例１０．日本酒１００ｍｌにグルコサミン１００ｍｇ、ヒアルロン酸１０ｍｇ、コンドロイチン１０ｍｇを加えて撹拌して不老長寿酒１００ｍｌを得た。
実施例１１．ウィスキー１００ｍｌにグルコサミン１００ｍｇ、ヒアルロン酸１０ｍｇ、コンドロイチン１０ｍｇを加えて撹拌して不老長寿ウィスキー１００ｍｌを得た。
実施例１２．米糠から得た油１００ｍｌにグルコサミン１００ｍｇ、ヒアルロン酸１０ｍｇ、コンドロイチン１０ｍｇを加えて撹拌して不老長寿油１００ｍｌを得た。
実施例１３．みそ１００ｇにグルコサミン１００ｍｇ、ヒアルロン酸３０ｍｇ、コンドロイチン１０ｍｇを加えて撹拌して不老長寿みそ１００ｇを得た。
実施例１４．しょうゆ１００ｍｌにグルコサミン１００ｍｇ、ヒアルロン酸３０ｍｇ、コンドロイチン１０ｍｇを加えて撹拌して不老長寿しょうゆ１００ｍｌを得た。
実施例１５．パン粉１００ｇにグルコサミン１００ｍｇ、ヒアルロン酸３０ｍｇ、コンドロイチン１０ｍｇを加えて撹拌して不老長寿パン粉１００ｇを得た。
実施例１６．そば粉１００ｇにグルコサミン１００ｍｇ、ヒアルロン酸３０ｍｇ、コンドロイチン１０ｍｇを加えて撹拌して不老長寿そば粉１００ｇを得た。
実施例１７．グルタミン酸ソーダ１００ｇにグルコサミン１００ｍｇ、ヒアルロン酸３０ｍｇ、コンドロイチン１０ｍｇを加えて撹拌して不老長寿調味料１００ｇを得た。
実施例１８．グルタミン酸ナトリウム１００ｇ、イノシン酸  ３０ｇ、グアニル酸２０ｇにグルコサミン１００ｍｇ、ヒアルロン酸３０ｍｇ、コンドロイチン１０ｍｇを混合撹拌して不老長寿調味料１５０ｇを得た。
(57)【要約】【課題】  従来の水力・火力・原子力・太陽光・風力・充電バッテリー等とは異なり、電化製品・自動車・バイクに取付けて電気エネルギーを取出すモーター発電機を提供する。【解決手段】  モーターの回転軸に歯車を設け、その歯車の両側に噛み合う軸付き歯車を設け、軸付き歯車の軸を回転軸として共有する発電機を設け、これに充電池‐充電機‐電源切替装置‐スイッチ等を配線でつないであることを特徴とするモーター発電機。【選択図】図１
2017131092.tif 000002
【特許請求の範囲】
【請求項１】
交流モーターから突き出た回転軸即ち交流モーター回転軸の端に歯車を設け、その歯車の両側にそれぞれ噛み合う形で、交流モーターと反対側へ回転軸即ち軸付き歯車軸を突き出して２つの軸付き歯車を設け、この軸付き歯車軸を回転軸として共有する形で２つの交流発電機を設けてあり、交流モーターと交流発電機の間に直流電源切替装置を設け、直流電源切替装置と交流発電機及び交流モーターとの間にそれぞれ変換機を設け、交流モーターと変換機との間にスイッチ又はカギスイッチを設け、直流電源切替装置は充電機及び充電池と繋がる、という形で配線が施されていることを特徴とするモーター発電機。
【発明の詳細な説明】
【技術分野】
【０００１】  本発明は、電化製品、自動車、バイク、電気で動く乗り物等のモーター発電機に関するものである。
【背景技術】
【０００２】  従来、電化製品、自動車、バイク、電気で動く乗り物は、発電所やバッテリーからの電気エナルギーを使用してきた。
【発明の概要】
【発明が解決しようとする課題】
【０００３】  電気を発電するには、水力発電、火力発電、原子力発電、太陽光発電、風力発電、充電バッテリーエネルギーを使用するしかない。
本発明は、以上の問題点を解決するため、別の発電手段を提供しようとするものである。
【課題を解決するための手段】
【０００４】  交流モーターから突き出た回転軸即ち交流モーター回転軸の端に歯車を設け、その歯車の両側にそれぞれ噛み合う形で、交流モーターと反対側へ回転軸即ち軸付き歯車軸を突き出して２つの軸付き歯車を設け、この軸付き歯車軸を回転軸として共有する形で２つの交流発電機を設けてある。交流モーターと交流発電機の間に直流電源切替装置を設け、直流電源切替装置と交流発電機及び交流モーターとの間にそれぞれ変換機を設け、交流モーターと変換機との間にスイッチ又はカギスイッチを設け、直流電源切替装置は充電機及び充電池と繋がる、という形で配線が施されている。
以上の構成を特徴とするモーター発電機である。
【発明の効果】
【０００５】  従来、発電は自然エネルギーや燃料・充電バッテリーで電気エネルギー使用していたが、本発明により発電された電気エネルギーでモーターを回せるため、何処でも発電できる。その発電した電気エネルギーで充電池の充電もできる。
【図面の簡単な説明】
【０００６】
【図１】  本発明の構造を示すイメージ図
【発明を実施するための形態】
【０００７】  以下、本発明の実施の形態を説明する。
交流モーター（１）から突き出た回転軸即ち交流モーター回転軸（１１）の端に歯車を（２）設け、その歯車（２）の両側にそれぞれ噛み合う形で、交流モーター（１）と反対側へ回転軸即ち軸付き歯車軸（１２）を突き出して２つの軸付き歯車（３）を設け、この軸付き歯車軸（１２）を回転軸として共有する形で２つの交流発電機（４）を設けてある。交流モーター（１）と交流発電機（４）の間には直流電源切替装置（５）を設け、直流電源切替装置（５）と交流発電機（４）及び交流モーター（１）との間にそれぞれ変換機（１０ａ，１０ｂ）を設け、交流モーター（１）と変換機（１０ｂ）との間にスイッチ（８）を設け、直流電源切替装置（５）は充電機（６）及び充電池（７）と繋がる、という形で配線（９）が施されている。
本発明は以上の様な構成であり、以下その使用方法・実施の形態を説明する。
本発明を使用する時は、スイッチ（８）をＯＮに入れ、充電池（７）からの直流電気を、変換機（１０ａ，１０ｂ）で交流電気にして交流モーター（１）を回転させ、交流発電機（４）で発電された電気エネルギーを変換機（１０ａ，１０ｂ）で直流電気にして、数秒瞬時に自動で、直流電源切替装置を介して、充電池（７）から来る交流発電機（４）の電気エネルギーで交流モーター（１）を回し発電させる。スイッチをＯＦＦにすると元に戻り、ＯＮにすれば充電池（７）から来る電気エネルギーで交流モーターを回す。充電機（６）から来るエネルギーは充電池（７）を自動充電させる。
以下、他の実施例を説明する。
発電機は１つでも２つ以上でも構わない。直流モーター・直流発電機でも良く、使用する時に発電機からの電気エネルギーを変換機で直流あるいは交流の電気に切り替えてもよい。発電機にソケットを付けても直接電気接続してもよい。充電池の代わりにコンセントの電気を使用してもよい。あるいは交流電源切替装置でもよく。それぞれの場所に変換機（１０）を設ければよい。モーターを２つあるいは３つ以上で、それぞれに歯車（２）を設け、１つあるいは２つ以上の発電機を回すこともできる。
【符号の説明】
【０００８】１  交流モーター，  ２  歯車，  ３  軸付き歯車，  ４  交流発電機，  ５  直流電源切替装置，  ６  充電機，  ７  充電池，  ８  スイッチ，  ９  配線，  １０  変換機，  １０ａ  変換機，  １０ｂ  変換機，  １１  交流モーター回転軸，  １２  軸付き歯車軸
【図１】
2017131092.tif 000003
(57)【要約】      （修正有）【課題】回転電機に発生する逆起電力を回収し、本来回転子を回すために磁束を発生させる電磁石に電力を発生させ、省電力の回転電機を製作することである。【解決手段】ローターハウジングは弱磁性体にし、磁束方向は回転軸と同じ向きにする。ローターの磁石５，６を永久磁石にした場合、ローターの回転角度に連鎖して特定の位置の電磁石の通電を切り、通電を切った電磁コイルから逆起電力を回収し、ローターの磁力により電磁コイルから発生する電力を回収する構造にした。【選択図】図３
2017131093.tif 000002
【特許請求の範囲】
【請求項１】
回転電機（１）の回転子であるローター（４）の任意の回転角度の時に、定められた電磁コイルへの通電を一定時間切ることを特徴とする回転電機。
【請求項２】
ローター（４）が任意の回転角度の時に定められた電磁石の通電を切り、そのためにその電磁コイルに発生する逆起電力を回収する構造を有する事を特徴とする請求項１記載の回転電機。
【請求項３】
ローター（４）が回転してその磁力が無通電の電磁コイルに作用する事により、その電磁コイルに電力を発生させ、その電力を回収する構造を有する事を特徴とする請求項１記載の回転電機。
【発明の詳細な説明】
【発明の詳細な説明】
【技術分野】
【０００１】  この発明は、電磁石への通電をローター（４〕の定められた回転角度によっては切り、そのために発生する逆起電力と回転子〔ローター〕が回転することによってその電磁コイルに発生する電力を回収する回路を設けた回転電機に関するもの。
【背景技術】
【０００２】    従来の直流回転電機においては、回転子〔ローター〕の電磁石に整流子とブラシによって電流を間断無くながしているものがあり、そのために電磁石のコイルに発生する逆起電力が無駄になり、また、一定時間の無通電の電磁コイルを設けたものが無いためそのコイルに発生する電力の回収もなかった。
【発明が解決しようとする課題】
【０００３】本発明は、無駄に捨てられていた逆起電力を回収し、本来は回転子を回転させる磁力を発生するための電磁コイルに電力を発生させ、それらを有効に利用することを課題として工夫を重ねたものである。
【課題を解決するための手段】
【０００４】ローター〔４〕の回転角度に連鎖する特定の電磁コイルの通電を止め、それにともなって発生する逆起電力とローター〔４〕の回転によって無通電の電磁コイルに電力を発生させてそれら二系統の電力を電力回収電気回路によって回収し、それらの電力を有効に活用することを考案した。
【発明を実施するための形態】
【０００５】ローターハウジング２は弱磁性体とし、磁束方向がローター軸２と同じ方向になるように、図１、図２に示すようにローターハウジング２に６極の固定電磁石９，１０，１１，１２，１３，１４，を配置し、ローター４には永久磁石でローター磁石５，６，７，８，を設ける。
【０００６】逆起電力と無通電の電磁コイルにローター４の磁力の作用で発生する電力の回収と、ローター４を回転させるために電磁コイルに通電する電力供給は、一括して電力供給、電力回収システムを介して電磁コイルと蓄電池などと仲介、接続するものとする。
【０００７】図３，図４，図５，図６，は、この自力発電型回転電機の図１を矢印方向から見たローター４の磁極と各固定磁石の磁極や無通電をローター４の回転角度にしたがって変化する図であり、以下の説明では、ローター磁石Ａ５とローター磁石Ｂ６の磁極は全て固定磁石側の磁極を表したものである。
【０００８】この自力発電型回転電気１に電源が入った瞬間が図３であり、
ローター磁石Ａ５はＮ極、    固定磁石Ａ９と固定磁石Ｆ１４はＮ極であり
ローター磁石Ｂ６はＳ極      固定磁石Ｃ１１と固定磁石Ｄ１２はＳ極である
したがって接近している各ローター磁石と固定磁石は反発してローター４は時計回りに回転する。
【０００９】  図４はローター４が時計回りに回転して、固定磁石Ｆ１４と固定磁石Ｃ１１の通電が切れたところであり、この回転角度では固定磁石Ａ９と固定磁石Ｄ１２の反発力と無通電の固定磁石Ｂ１０，Ｅ１３の強磁性体の作用により更に時計回りに回転し、この時に固定磁石Ｃ，Ｆには逆起電力が発生し、ローター４の磁力の作用で固定磁石Ｂ，Ｅに電力が発生する。
【００１０】  図５、は更にローター４が回転した図であり、図６は固定磁石Ｂ１０、固定磁石Ｅ１３に通電が開始された磁極を表した図であり、この角度は図３の自力発電型回転電機１の電源が入った瞬間とローター磁石など隣接する各磁石の磁極が同じであることからこの角度で一つのサイクルが終わり、同時に、一つのサイクルが始まるものと位置づけできる。
【００１１】したがって、ローター４が一回転するたびに逆起電力が６回、発電が６回行われるものであり、これらの電力回収と各電磁石に通電するタイミングは、図７に示したような回転角度検知機能も含めた電力回収、電力通電システムによって管理配電するものとする。
【他の実施例】
【００１２】本発明の他の実施例として図８に示すように固定磁石の全ての両端を矢印方向から見て４５度前後に角度をつけ、ローター磁石Ａ，Ｂ，１５，１６も固定磁石の角度に合うように角度をつけて配置するほうほうもある。
【発明の効果】
【００１３】本発明は以上のような構成でだから、電磁石の通電を一定時間切り、逆起電力とローター４の磁力の作用により無通電の電磁コイルに発生させる電力を有効利用して、回転電機の省電力化をすることができる。
【図面の簡単な説明】
【図１】本発明の回転軸を横に見た断面図
【図２】図１の矢印の方向から見た固定磁石とローター磁石の配置図
【図３】ローター４の回転と各磁石の磁極と無通電を表した図である。
【図４】ローター４の回転と各磁石の磁極と無通電を表した図である。
【図５】ローター４の回転と各磁石の磁極と無通電を表した図である。
【図６】ローター４の回転と各磁石の磁極と無通電を表した図である。
【図７】逆起電力と電磁コイルに発生する電力を回収し、各電磁石に電源から通電するシステムを表した図である。
【図８】本発明の他の実施例の図である
【符号の説明】  １    本発明の自力発電型回転電機
２    ローターハウジング
３    ローター回転軸
４    ローター
５    ローター磁石Ａ
６    ローター磁石Ｂ
７    ローター磁石Ｃ
８    ローター磁石Ｄ
９    固定磁石Ａ
１０  固定磁石Ｂ
１１  固定磁石Ｃ
１２  固定磁石Ｄ
１３  固定磁石Ｅ
１４  固定磁石Ｆ
１５  回転角度検知器
１６  発電電力と逆起電力回収、通電電力仲介配分システム
１７  蓄電池
１８  回転電機制御システム
１９  ローター磁石２Ａ
２０  ローター磁石２Ｂ
２１  固定磁石２Ａ
２４  固定磁石２Ｄ
【図１】
2017131093.tif 000003
【図２】
2017131093.tif 000004
【図３】
2017131093.tif 000005
【図４】
2017131093.tif 000006
【図５】
2017131093.tif 000007
【図６】
2017131093.tif 000008
【図７】
2017131093.tif 000009
【図８】
2017131093.tif 000010
(57)【要約】【課題】パンツを着脱するには足首を通すのでズボン等を脱がなくてはならない。これに対しズボン等を脱がなくても横から着脱できるパンツを発明した。【解決手段】横から着脱できるパンツ【選択図】図−６
2017222963.tif 000002
【特許請求の範囲】
【発明の詳細な説明】
パンツ（下着）に関する発明
以下「パンツ（下）」と表記する。
パンツ（下）を着脱するには足首を通すのでズボン等を脱がなくてはならない。
これに対しズボン等を脱がなくても横から着脱できるパンツ（下）を発明した。
以後「横着脱パンツ（下）と表記する。
詳細を図面にて説明する。
【図面の簡単な説明】
【図−１】パンツ（下）の見取図
【図−２】点線の部分からカットする。
【図−３】カットした部分の平面図展開。
【図−４】点線の部分をカット
【図−５】展開平面図
【図−６】アミメの部分にマジックテープをミシン付にする。  ＊点線部分の裏側にマジックテープをミシン付にする。
【図−７】マジックテープを図−７のようにセットして図−１のパンツ（下）の型にセットした図。
【図−１】
2017222963.tif 000003
【図−２】
2017222963.tif 000004
【図−３】
2017222963.tif 000005
【図−４】
2017222963.tif 000006
【図−５】
2017222963.tif 000007
【図−６】
2017222963.tif 000008
【図−７】
2017222963.tif 000009
【手続補正書】
【提出日】平成29年1月12日(2017.1.12)
【手続補正３】
【補正対象書類名】特許請求の範囲
【補正対象項目名】全文
【補正方法】変更
【補正の内容】
【特許請求の範囲】
【請求項１】
横から着脱できるパンツ
(57)【要約】【課題】後方視界の拡大、常に最良の視界を得ることができ、左折時の巻き込み事故防止につながり、ドライバーに安全、安心感を与える事ができる。【解決手段】車両が左折するとき、ハンドルを回転させると、ミラーが外側に向いて開き、後方視界を常に最良の状態に保つことができ、車両の死角を減少させドライバーに安全、安心感を与ええることができる。【選択図】図２
2017222335.tif 000002
【特許請求の範囲】
【請求項１】
車両が左折の際、ハンドルの回転によってミラー面を移動「開く」することによって後方視界をドライバーに最良のものとし、死角の軽減をし、車両の巻き込み事故等を防止することを目的としたもの。
【発明の詳細な説明】
【技術分野】
【０００１】本発明は、車両が左折するときミラー面を開き「外側に開く」後方視界をより良い状態し、死角を減し安全に運行するためのものである。
【背景技術】
【０００２】従来、車両のサイドミラーの位置は、ドライバーが目視できる位置に合わせるとその後はミラーの位置を変えることはなかった。
そのため左折の時、後方視界は大変悪く、同時に車両の死角も増していた。
【発明の開示】
【発明が解決しようとする課題】
【０００３】（イ）
従来助士席側「右ハンドル時」サイドミラーは、車両の後方を中心に視点、焦点を合わせ目視できる位置にセットすると以後、走行中も変わることはなかった。
（ロ）
従来は曲面鏡が多く使われていることが多かった。
それは、広範囲の視界を得るためとおもわれる。
（ハ）
しかし、曲面鏡では目視したとき、曲面に歪みが生じてしまう。
そのため、目視したとき距離感に違和感があった。
（ニ）
例えば三面鏡を使うとき、左側の面を手前にすると顔の近くが見え、外側に向けると頭部が見えるようになる。
（ホ）
これと同じように左折の時、ハンドルの回転に合わせてミラー面を移動、外側に向けることで後方視界を常に広く、良好な状態にすることができ死角を減らすことができる。
【課題を解決するための手段】
【０００４】助士席側のミラー「右ハンドル時」の場合。特に左折の時、ハンドルの回転に合わせて、サイドミラーを外側に向ける「広げる」ことで、後方視界を最良の位置「状態」に保つことができる。
【発明の効果】
【０００５】本発明のミラーを使用することで巻き込み事故の防止や、軽減ができ又、平面鏡を使用できるので、目視したとき曲面鏡のような像の歪もなく後方視界は広く大きくなり、ドライバーに安全、安心感を与える。
【発明を実施するための最良の形態】
【０００６】以下、本発明の形態について説明する。
１―ボデイ側
２―ステップ
３―ミラー面
４―ミラー移動の様子
【図面の簡単な説明】
【０００７】
【図１】  ミラー全体図
【図２】  ミラー面移動、後方視界の様子
【符号の説明】
【０００８】    １―ボデイ側
２―ステップ
３―ミラー
４―通常時ミラー位置
５―ミラー移動の様子
【図１】
2017222335.tif 000003
【図２】
2017222335.tif 000004
(57)【要約】【課題】従来、ひとつの金型で一種類の提げ手しか作る事が出来なかった。他の種類の提げ手を作るには金型を作り直し、とても多くの時間と費用がかかってしまっていた。本発明は、この課題を解消するためになされたものである。【解決手段】意匠板に、その意匠板を固定するための先端が傘状に成形された突起を設け、袋もの用提げ手の両端にそれぞれ対となっている各留め部部分の片方に、意匠板に設けた突起が貫通する為の穴を設け、対の相手方の留め部部分に、その突起の先端が圧入され係止するようにした。【選択図】図１
2017222422.tif 000002
【特許請求の範囲】
【請求項１】
意匠板に、その意匠板を固定するための先端が傘状に成形された突起を設け、袋もの用提げ手の両端にそれぞれ対となっている各留め部部分の片方に、意匠板に設けた突起が貫通する為の穴を設け、対の相手方の留め部部分に、その突起の先端が圧入され係止する為の穴を設けてなるものである。
【請求項２】
意匠板に、その意匠板を固定するための先端が傘状に成形された突起を設け、袋もの用提げ手の両端にそれぞれ対となっている各留め部部分の片方に、意匠板に設けた突起が圧入され係止する為の穴を設けてなるものである。
【請求項３】
意匠板に、その意匠板を固定するために圧入し係止する為の穴を設け、袋もの用提げ手の両端にそれぞれ対となっている各留め部部分の片方に、意匠板固定用の先端が傘状に成形された突起を設けてなるものである。
【発明の詳細な説明】
【技術分野】
【０００１】本発明は、袋もの用提げ手の留め部部分に意匠板付け替え機能を設ける事で、袋もの用提げ手の種類を飛躍的に多くして、その使用場面に合った提げ手を提供する事にある。
【背景技術】
【０００２】従来、袋もの用提げ手は、ただ袋ものを持つだけの機能のみであった。
【発明の概要】
【発明が解決しようとする課題】
【０００３】従来、ひとつの金型で一種類の提げ手しか作る事が出来なかった。他の種類の提げ手を作るには金型を最初から作り直しとても多くの時間と費用がかかってしまっていた。
本発明は、この課題を解消するためになされたものである。
【課題を解決するための手段】
【０００４】袋もの用提げ手の両端にそれぞれ対となっている留め部部分の片方に、意匠板に設けた先端が傘状の突起を貫通させる穴を設け、その相手方の留め部部分に圧入係止固定するための穴を設け、圧入して係止するようにした。
【発明の効果】
【０００５】多品種大量、多品種少量においても要求に応じて、その使用場面に合った提げ手を効率良く生産することが出来、また迅速に提供する事が出来るのである。
【図面の簡単な説明】
【０００６】
【図１】提げ手の一端で留め部部分の発明箇所を解りやすく拡大した図である。
【図２】長尺のため、一部省略した提げ手本体の平面図と意匠板の図である。
【図３】袋ものに装着した時の部分図である。
【発明を実施するための形態】
【０００７】以下、本発明の形態について説明する。
（イ）．本発明は提げ手本体１と意匠板２と二種類の成形品で成り立つものである。
（ロ）．提げ手本体１に設けてある貫通穴４と係止するための穴５の間に、貫通穴４及び        圧入穴５に合わせて穴あけ加工を施した袋状のものの端を挟み込み、使用するも        のである。
（ハ）．留め部片方に貫通穴４を設け、意匠板２に設けた突起３を通し、相手方留め部に        設けた係止するための穴５に圧入し、装着する。
【符号の説明】
【０００８】１  提げ手本体
２  意匠板
３  意匠板に設けた先端が傘状に成形された突起
４  貫通穴
５  係止するための穴
【図１】
2017222422.tif 000003
【図２】
2017222422.tif 000004
【図３】
2017222422.tif 000005